(57)【特許請求の範囲】
【請求項１】
湯又は水を吐水する給水手段からの吐水を受けるボウル部を有する衛生設備機器であって、
前記ボウル部は、排水栓が取り付けられた排水口を底面に有する受水槽と、
排水栓が取り付けられていない排水口を底面に有する排水槽と、
前記受水槽と前記排水槽の両方に接し、排水栓が取付けられた排水口を底面に有する洗浄槽とに分割され、
前記受水槽と前記排水槽とを分割する受水排水仕切壁の上面は前記ボウル部の周縁の上面よりも低く形成されており、
前記洗浄槽と前記受水槽とを分割する洗浄受水仕切壁の上面は前記受水排水仕切壁の上面よりも低く形成されており、
前記洗浄槽と前記排水槽とを分割する洗浄排水仕切壁の上面は前記洗浄受水仕切壁の上面よりも低く形成されている衛生設備機器。
【請求項２】
前記排水槽は前記受水槽および／または前記洗浄槽、
の外側に張り出して形成されたことを特徴とする請求項１に記載の衛生設備機器。   
【請求項３】
前記排水槽と前記洗浄槽の排水経路は、陶器で形成されたボウルと一体で形成されることを特徴とする請求項１に記載の衛生設備機器。
【請求項４】
前記受水槽の近傍には少なくとも一部が凹形状部を有する載置部を形成し、   
前記凹形状部は排水槽と連通する排水流路を持つことを特徴とする請求項１乃至請求項３に記載の衛生設備機器。   
【請求項５】
前記排水槽には排水流路の途中に目皿を配置すると共に、前記目皿の側方両側には凹部を形成したことを特徴とする請求項１乃至請求項３に記載の衛生設備機器。  
【発明の詳細な説明】
【技術分野】
【０００１】
本発明は、洗面器や浴槽などの衛生設備機器、特に医療機関に好適な水廻り衛生設備機器に関する発明である。 
【背景技術】
【０００２】
洗面器を衛生的に使用するために、１つの洗面器に洗面槽と下水槽とを形成し、用途に応じて使い分けることが提案されている（例えば、特許文献１参照。）。 
このように洗面器を洗面槽と下水槽とを使い分ける場合、洗面槽は清潔性が保たれることから、洗面槽に水を溜めて衛生的に使用することが可能となるが、このように洗面槽に水を溜めて使用する場合には、洗面槽の底部に設けられた排水口を閉じて使用することから、洗面槽への水溜めのために水栓装置などから吐水を行っている場合、洗面槽に一定量の水溜めが終了した時点で吐水を停止させる必要があり、その停止を怠ると洗面槽からオーバーフローした水が床面に流れ落ちてしまうというリスクがある。
【０００３】
そのため、洗浄槽からオーバーフローした水が床面に流れ落ちることを防止するために、洗面槽の上方に排水配管と繋がるオーバーフロー孔を設けておき、吐水の停止忘れの場合にはオーバーフロー孔から排水することでオーバーフロー水が床面に流れ落ちることを防止することが一般的に行われている。
【０００４】
しかしながら、近年、洗面器などの水廻りの衛生設備機器に対して、オーバーフロー孔に関して清掃処置が困難であることから、オーバーフロー孔を廃することが求められる場合があり、その要請に応えてオーバーフロー孔を廃した場合にはより衛生性が向上する反面、水溜め時に吐水の停止を怠るとオーバーフロー水は床面に流れ落ちることとなり、床面に与えるリスクが大きいという問題があった。  
【先行技術文献】
【特許文献】
【０００５】
【特許文献１】実用新案登録３００５９３１号公報
【発明の概要】
【発明が解決しようとする課題】
【０００６】
本発明は、上記問題を解決するためになされたもので、本発明の課題は、感染の懸念が
ないように清掃性に優れ、オーバーフロー水が床面に流れ落ちることを防ぐことができる
衛生設備機器を提供することである。合わせて使い勝手の向上と、高い衛生性の両立を図るものである。
【課題を解決するための手段】
【０００７】
上記目的を達成するために本発明においては、湯又は水を吐水する給水手段からの吐水を受けるボウル部を有する衛生設備機器であって、前記ボウル部には、排水栓が取り付けられた排水口を底面に有する受水槽と、排水栓が取り付けられていない排水口を底面に有する排水槽とに分割され、前記受水槽と前記排水槽とを分割する受水排水仕切壁の上面が前記ボウル部の周縁の上面よりも低く形成されている。
【０００８】
本発明によれば、受水槽からオーバーフローした水が受水排水仕切壁の上面を溢流して排水槽に流れ込むことになるため、オーバーフロー水がボウル部から床面に流れ落ちることを防止できると共に、ボウル部の上方にオーバーフロー孔を設ける必要がなく清掃性が高い。
【０００９】
また、本発明の好ましい様態としては、前記ボウル部は、前記受水槽と前記排水槽の両方に接するように分割され、排水栓が取付けられた排水口を底面に有する洗浄槽を更に備え、前記洗浄槽と前記受水槽とを分割する洗浄受水仕切壁の上面は前記受水排水仕切壁の上面よりも低く形成されており、前記洗浄槽と前記排水槽とを分割する洗浄排水仕切壁の上面は前記洗浄受水仕切壁の上面よりも低く形成されていることにより、受水槽で温度調節しながら受水槽をオーバーフローした水を洗浄受水仕切壁の上面から溢流させて洗浄槽へ供給でき、洗浄槽では乳児の沐浴などを行うことができる。そして、洗浄槽をオーバーフローした水は洗浄排水仕切壁の上面を溢水して排水槽へ流れ込むことになるため、オーバーフロー水がボウル部から床面に流れ落ちることを防止できると共に、ボウル部の上方にオーバーフロー孔を設ける必要がなく清掃性が高い。
上記目的を達成するために請求項３記載の発明によれば、前記排水槽は前記受水槽および／または前記洗浄槽の面積を減ずることなく、前記受水槽および／または前記洗浄槽に対して張り出して形成したことを特徴とすることにより、広い洗浄槽の範囲を確保することができ、衛生的な配慮を行いながら使い勝手が低下することがなくなった。
上記目的を達成するために請求項４記載の発明によれば、前記排水槽と前記洗浄槽の排水経路は、陶器で形成されたボウルと一体で形成されることを特徴とすることにより、施工作業時に発生する排水配管接続の作業負荷を減じることができるようになった。
上記目的を達成するために請求項５記載の発明によれば、前記受水槽の近傍には少なくとも一部が凹形状部を有する石鹸置きを形成し、前記凹形状部は排水槽と連通する排水流路を持つことを特徴とすることにより、受水槽に石鹸水が流れ込んで水質が低下することを抑制できるようになった。
上記目的を達成するために請求項６記載の発明によれば、前記排水槽には排水流路の途中に目皿を配置すると共に、前記目皿の側方両側には凹部を形成したことを特徴とすることにより、万一、排水槽に異物を落としても排水配管側に流出することがなく、かつ、目皿を取り外して簡単に清掃することができるようになった。
【発明の効果】
【００１０】
本発明によれば、オーバーフロー水がボウル部から床面に流れ落ちることを防止できると共に、ボウル部の上方にオーバーフロー孔を設ける必要がなく清掃性が高さと、使い勝手や衛生性を両立した衛生設備機器を提供できる。
【図面の簡単な説明】
【００１１】
【図１】本発明の第一実施形態に係わる衛生設備機器の斜視図である。
【図２】本発明の第二実施形態に係わる衛生設備機器の平面図である。
【図３】図２のIII−III線における断面図である。
【図４】本発明の第二実施形態に係わる衛生設備機器の斜視図である。
【図５】図４の排水槽における断面図である。
【図６】図４の排水槽底部の拡大斜視図である。
【発明を実施するための形態】
【００１２】
図１は、本発明の第一実施形態に係わる衛生設備機器の斜視図である。図１を使用して、医療機関で洗面器・手洗い器等として使用される衛生設備機器について詳説する。
衛生設備機器Ａは、下方に向かって窪むように形成されたボウル部１を有している。このボウル部１は、向かって左側に受水槽２を、向かって右側に排水槽３を有している。具体的には、受水槽２と排水槽３とはボウル部１を受水排水仕切壁７によって分割することで形成されている。なお、受水槽２が洗面や手洗いに使用されることになるため、受水排水仕切壁７の位置としては、受水槽２が排水槽３に比べて十分に広くなる位置、例えば、受水槽２の排水槽３に対する開口面積が２倍以上となるように構成されていることが好ましい。
【００１３】
そして、受水槽２の上部には、湯または水（以下、単に水または湯水と呼ぶ）を供給する湯水混合水栓である給水手段４が設けられている。この給水手段４としては、少なくとも受水槽２に向けて湯水を吐水できればよいが、吐水口を引き出すことが可能なプルアウト式の湯水混合水栓を用いることが好ましく、この場合は吐水口を引き出して排水槽３へも湯水を供給することが可能となり、排水槽３の清掃時に便利である。
なお、図１では給水手段４が衛生設備機器Ａの上部に設けられている形態であるが、衛生設備機器Ａ自体に給水手段４の取付け孔を設けておき、その取付け孔に給水手段４を取り付けるようにしてもよい。
【００１４】
受水槽２と排水槽３の底部には、各々排水口（図示せず）が設けられており、受水槽２と排水槽３の排水口には、各々排水流路５，６が連接されている。この排水流路５，６には各々トラップを有しており、各々が独立して壁に埋め込まれた排水配管に対して排水することが可能となっている。なお、受水槽２の排水口には、この排水口を開閉する排水栓（図示せず）が取り付けられており、排水栓を閉じて排水口からの排水を停止した状態で給水手段４から湯水を吐水することで受水槽２に水溜めを行うことが可能となっている。一方、排水槽３の排水口には排水栓は取り付けられておらず、排水槽３に流入した湯水は常時排水流路６へと排水可能となっている。
【００１５】
ボウル部１は、受水槽２と排水槽３との間の受水排水仕切壁７によって分割されているが、この受水排水仕切壁７の上面はボウル部１の周縁の上面よりも低く形成されている。なお、上面とはボウル部１の周縁と受水排水仕切壁７の各々において、最も低い位置を指している。
【００１６】
このように構成された衛生設備機器Ａにおいては、受水槽２の排水栓を閉じて給水手段４から吐水して受水槽２に湯水を溜める場合、給水手段４の停止を怠って受水槽２からオーバーフローが発生した際に、このオーバーフロー水は受水排水仕切壁７の上面から溢流して排水槽３への流れ込み、排水流路６を経由して排水される。そのため、受水槽２のオーバーフロー水がボウル部１の周縁から溢流して床面に流れ落ちることがない。従って、ボウル部１にはオーバーフロー孔が開口形成されておらず、清掃が困難なオーバーフロー孔内部から水が、受水槽２と排水槽３に戻らないよう配慮されている。すなわち、受水槽２と排水槽３は共に上方に向けて開放しているため清掃が容易であり、医療機関で懸念される清掃が困難なオーバーフロー孔内部での細菌繁殖懸念を払拭することができる。
【００１７】
なお、本実施形態においては、受水槽２と排水槽３とは各々排水流路５，６を備えているため、万一、排水流路５に詰まりが発生し、その状態で給水手段４からの給水が継続して受水槽２が満水になった場合でも、受水排水仕切壁７の上面から溢流して排水槽３に流れ込み、排水流路６から排出されることになる。各々独立である排水流路５，６において同時に詰まりが発生する可能性は低く、ボウル部１からオーバーフロー水が流れ落ちて床を濡らすような事態を防ぐことができる。
【００１８】
次に、本発明の第二実施形態について説明する。図２は、本発明の第二実施形態に係わる衛生設備機器の平面図であり、図３は、図２のIII−III線における断面図である。この第二実施形態における衛生設備機器Ｂは、医療機関等での使用を想定した乳児用バスである。
【００１９】
衛生設備機器Ｂは、下方に向かって窪むように形成されたボウル部１を有している。このボウル部１は、図２に示すように、向かって右上から時計回りに、受水槽８と洗浄槽９と排水槽１０が形成されている。具体的には、ボウル部１において洗浄槽９は受水槽８と排水槽１０の両方に接するように分割されており、受水槽８と洗浄槽９とは洗浄受水仕切壁１１によって分割されており、洗浄槽９と排水槽１０とは洗浄排水仕切壁１２によって分割されており、受水槽８と排水槽１０とは受水排水仕切壁１３によって分割されている。なお、この衛生設備機器Ｂは乳児用バスとして使用されるため、洗浄槽９が受水槽８や排水槽１０に比べて十分に広くなるように、洗浄受水仕切壁１１と洗浄排水仕切壁１２の位置としては、ボウル部１の左右方向の中央よりも向かって右側に偏った位置に設けられている。また、受水槽８は排水槽１０に比べて広くなるように、受水排水仕切壁１３の位置としては、ボウル部１の前後方向の中央よりも前側に隔たった位置に設けられている。
【００２０】
そして、受水槽８の上方には湯水を供給する湯水混合水栓である給水手段（図示せず）が設けられている。この給水手段としては、前述した第一実施形態と同様にプルアウト式の湯水混合水栓を用いることが好ましく、衛生設備機器Ｂ自体に給水手段の取付け孔を設けておき、その取付け孔に給水手段を取り付けるようにしてもよい。
【００２１】
受水槽８、洗浄槽９、排水槽１０の底部には、各々排水口１７，１８，１９が設けられており、これら排水口１７，１８，１９には、各々排水流路１４，１５，１６が連接されている。受水槽８の排水口１７に繋がる排水流路１４と排水槽１０の排水口１９に繋がる排水流路１６とは途中で合流し、その合流位置よりも下流側にトラップが設けられている。洗浄槽９の排水口１８に繋がれた排水流路１５にもトラップが設けられている。そして、各々のトラップの下流側は壁に埋め込まれた排水配管に対して排水することが可能となっている。
【００２２】
受水槽８と洗浄槽９の排水口１７、１８には、この排水口１７，１８を開閉する排水栓が各々取り付けられており、排水栓を閉じて排水口１７，１８からの排水を停止した状態で受水槽８や洗浄槽９には水溜めを行うことが可能となっている。この排水栓としては、ボウル部１の上面に取り付けられた操作部（図示せず）とレリーズワイヤによって連結され、操作部の押し操作によって上下して排水口１７，１８を開閉するポップアップ式の排水装置を好適に用いることができる。一方、排水槽１０の排水口１９には排水栓は取り付けられておらず、排水槽１０に流入した湯水は常時排水可能となっている。
【００２３】
洗浄槽９と受水槽８とを分割する洗浄受水仕切壁１１の上面は受水排水仕切壁１３の上面よりも低く形成されており、洗浄槽９と排水槽１０とを分割する洗浄排水仕切壁１２の上面は洗浄受水仕切壁１１の上面よりも低く形成されている。従って、ボウル部１における鉛直方向の高さ関係は、ボウル部１の周縁＞受水排水仕切壁１３の上面＞洗浄受水仕切壁１１の上面＞洗浄排水仕切壁１２の上面、と順に低くなるように構成されている。
【００２４】
次に、衛生設備機器Ｂの使用形態について詳しく説明する。この衛生設備機器Ｂは、洗浄槽９で乳児の沐浴のために使用される。そのため、受水槽８の底部の排水栓を開いた状態で給水手段からの吐水を開始し、給水手段からの吐水温度が沐浴に適した温度であることが確認されたら受水槽８底部の排水栓を閉じて受水槽８への水溜めを行う。受水槽８が満水となると、受水槽８からオーバーフローが発生し、そのオーバーフロー水は洗浄受水仕切壁１１の上面から溢流して洗浄槽９へと流れ込む。その際、洗浄槽９底部の排水栓を閉じておくことで、洗浄受水仕切壁１１の上面を溢流してきた湯水は洗浄槽９に溜まり、所定量が溜まった時点で給水手段を閉じて吐水を停止し、洗浄槽９において乳児の沐浴を行う。このように、衛生設備機器Ｂにおいては、乳児が沐浴する洗浄槽９に給水手段から直接吐水せず、受水槽８を経由して水溜めを行うことにより、乳児の沐浴に不適当な湯水が給水手段から吐水されて沐浴中の乳児が浴びてしまうことを防止している。
【００２５】
このような洗浄槽９への水溜めにおいて、洗浄槽９に所定量の水溜めを行った後に給水手段の停止を怠って受水槽８から洗浄槽９へのオーバーフロー水の溢流が継続し、洗浄槽９でもオーバーフローが発生すると、この洗浄槽９におけるオーバーフロー水は洗浄排水仕切壁１２の上面から溢流して排水槽１０へと流れ込み、排水流路１６を経由して排水される。また、洗浄排水仕切壁１２の上面に物が置かれてこの洗浄排水仕切壁１２の上面からの溢流が阻害されてしまった場合には、受水排水仕切壁１３の上面を溢流して排水槽１０へと流れ込み、排水流路１６を経由して排水される。そのため、洗浄槽９のオーバーフロー水がボウル部１の周縁から溢流して床面に流れ落ちることがない。従って、ボウル部１にはオーバーフロー孔が開口形成されておらず、清掃が困難なオーバーフロー孔内部から水が、受水槽８、洗浄槽９、排水槽１０に戻らないよう配慮されている。すなわち、受水槽８、洗浄槽９、排水槽１０は共に上方に向けて開放しているため清掃が容易であり、医療機関で懸念される清掃が困難なオーバーフロー孔内部での細菌繁殖懸念を払拭することができる。
【００２６】
なお、この第二実施形態においては、受水槽８と洗浄槽９とは各々排水流路１４，１５を備えているため、万一、排水流路１４のトラップに詰まりが発生し、その状態で給水手段からの給水が継続して受水槽８が満水になった場合でも、洗浄受水仕切壁１１の上面から溢流して洗浄槽９に流れ込み、排水流路１５から排出させることが可能である。各々独立である排水流路１４、１５において同時に詰まりが発生する可能性は低く、ボウル部１からオーバーフロー水が流れ落ちて床を濡らすような事態を防ぐことができる。
【００２７】
以上、本発明の実施形態について説明したが、本発明はこれら実施形態に限定されるものではない。例えば、ボウル部を分割する仕切壁はボウル部と一体ではなく着脱できる構成であってもよい。また、仕切壁の上面は水平方向に一定の高さとなっておらず一部が下側に凹んでいてもよく、このように凹んだ場合は、この凹んだ部分が溢流を形成する仕切壁の上面としての高さを規定するものである。
また、前述した各実施形態が備える各要素は、技術的に可能な限りにおいて組み合わせることができ、これらを組み合わせたものも本発明の特徴を含む限り本発明の範囲に包含される。
【００２８】
次に、本発明の第三実施形態について説明する。図４は、本発明の第三実施形態に係わる衛生設備機器の斜視図、図５は、図４の排水槽における断面図、および、図６は図４の排水槽底部の拡大斜視図である。使い勝手と衛生性について、より改善する方法について詳説する。
【００２９】
本発明の第三実施形態に係る衛生設備機器は受水排水仕切り壁７により受水槽８と洗浄槽９に分離された乳児バスの事例であるが、受水槽８と洗浄槽９が分離された仕様は必須のものではなく仕切り壁をなくして単一の槽としてもよい。受水槽２の投影面積を減ずることなく、外側に張り出すように排水槽３が配置され、受水槽２の溢れ縁より低い位置に受水排水仕切壁７が設けられている。受水槽８の面積が減じられることが無く、かつ、排水槽３は奥側に配置されことで、受水槽８の使い勝手が低下することがない。
【００３０】
受水槽２に供給された湯、および／または、水は受水排水仕切壁７を溢流して排水槽３に流れ込み、目皿２５を経て、排水流路５に流れ込むようになっている。排水流路５は外郭２２と受水槽２の間で形成することにより、排水流路５を個別の配管で作る必要は無く、施工時の作業が低減されるよう配慮されている。
【００３１】
受水槽２の近傍周囲には、石鹸やスポンジ等を置くための凹形状部２３が形成されているが、そこから排水槽３の間には排水流路２４が形成され、石鹸カスや残水に発生した微生物汚れ等が受水槽２に侵入することを防止している。
【００３２】
図示しない給水手段４の給水瞬間流量Ｑｉｎに対して、排水流路５の排水瞬間流量Ｑｏｕｔは式（１）の関係を維持しており、かつ、定常状態における受水排水仕切壁７と排水槽３内水位には２５ｍｍ以上の落差が生じるように、給水手段４の給水瞬間流量Ｑｉｎと排水流路５の排水瞬間流量Ｑｏｕｔの能力を設定することで、一度、排水したものが受水槽２に遡って衛生性の問題が発生しないようになっている。
（式１）        給水瞬間流量Ｑｉｎ  ＜  排水瞬間流量Ｑｏｕｔ
【００３３】
前記した水位差を設定するために、排水槽３は形状的に奥深いものとなるが、万一、ものを落とした時であっても排水流路５への落ち込みがないよう、排水槽３と排水流路５の境には目皿２５が配置されている。指先で目皿２５の清掃のための取り外しが容易なように、目皿２５の両側には対となる凹部２６が形成されている。
【符号の説明】
【００３４】
Ａ，Ｂ…衛生設備機器
１…ボウル部
２…受水槽
３…排水槽
４…給水手段
５，６…排水流路
７…受水排水仕切壁
８…受水槽
９…洗浄槽
１０…排水槽
１１…洗浄受水仕切壁
１２…洗浄排水仕切壁
１３…受水排水仕切壁
１４，１５，１６…排水流路
１７，１８，１９…排水口
２２…外郭
２３…凹形状部
２４…排水流路
２５…目皿
２６…凹部
【図１】
0006758595.tif 000002
【図２】
0006758595.tif 000003
【図３】
0006758595.tif 000004
【図４】
0006758595.tif 000005
【図５】
0006758595.tif 000006
【図６】
0006758595.tif 000007